(57)【要約】      （修正有）【課題】ラッチ装置のキーを不要にし、かつ施錠の信頼性を高める。【解決手段】ホルダー１内に作動ロック軸13を貫通させた作動操作軸３を嵌装し、作動操作軸の内端部を回転レバー６と係合させ、ホルダーに設けた施錠孔11に、回転レバーの内端面に具えた作動ピン９の回動に昇降を支配されるラッチレバー10を備える。ラッチレバーを、作動操作軸の摺動と回転による回転レバーの回転と、該ラッチレバーに付設した施錠付勢ばね12の付勢とによりホルダー外に突出させて、施錠状態にする。作動操作軸の軸受部材８の内周面に設けたガイド溝15に、作動操作軸の外周に具えた突起16を嵌合して作動操作軸の摺動と回転を支配させ、軸受部材の内端部と回転レバーとの間および作動ロック軸に作動復帰ばね22、23を設け、作動ロック軸に突出させたピン21を作動操作軸に設けたガイド溝20に嵌合し、作動ロック軸の外端に具えた開錠操作溝14の押し込みと回転とにより，開錠できる。【選択図】図１
2005248440.tif 000002
【特許請求の範囲】
【請求項１】
取付面に端面を臨出させて埋設されるホルダー内に、外端に摘みを突出さた筒形の作動操作軸を適宜の摺動と回転とを可能にして嵌装し、ホルダー内に、上記作動操作軸の内端部を連結穴に嵌合させて互いに一体回転する回転レバーと、上記ホルダーに設けた施錠孔に嵌合して、上記回転レバーの内端面に具えた作動ピンの回動に昇降を支配されるラッチレバーを備える。このラッチレバーを上記作動操作軸の摺動と回転と、回転レバーの回転と、該ラッチレバーに付設した施錠付勢ばねの付勢とにより先端部をホルダー外に突出させて、ラッチを施錠状態にする。一方、前記ホルダー内で、前記作動操作軸の軸部を軸受けする軸受部材の内周面に、円周方向と軸方向とに沿ってＵ字形に連なるガイド溝を設け、このガイド溝に前記作動操作軸の外周に具えた突起を嵌合させて、作動操作軸の摺動と回転を支配させ、上記軸受部材の内端部と回転レバーとの間に作動操作軸の作動復帰ばねを介設して、前記施錠状態後の作動操作軸を自動的に復帰させる。また、作動復帰ばねを具えて軸受部材内を貫通する作動ロックピンにピンを突出させ、このピンを作動操作軸に設けたＬ字形のガイド溝に嵌合し、該作動ロックピンの外端に具えた開錠操作溝の押し込みと回転とにより，施錠状態のラッチを開錠できるように構成したことを特徴とするラッチ装置。
【発明の詳細な説明】
【技術分野】
【０００１】
本発明は、主として配電盤を収納するボックスの扉などに取り付けられるラッチ装置に関し、キーの使用なしに、ラッチの構造を知っている使用者のみが施錠できたり開錠できるようにしたことを特長とするものである。
【背景技術】
【０００２】
従来のこの種のラッチ装置は、簡便に使用できることから施錠機構も単純に作製されていて、ラッチの構造を熟知していない人にも容易に開錠できるように構成されている（例えば、特許文献１、２、３）。
【０００３】
【特許文献１】登録実用新案３０４４０３２５号公報（第１頁参照）
【特許文献２】実開平６−４３１７６号公報（第１頁参照参照）
【特許文献３】実開平７−１２３７号公報（第１頁参照参）
【０００４】
例示した上記特許文献１、２、３のようなラッチ装置を配電盤の収納ボックスの扉などに取り付けた場合には、外部の人にも不法に開錠されて配電盤を操作されるおそれがある。
しかしながら、一般の錠前のようにキーを使用する錠機構を用いると、ラッチ装置の簡便性が失われたり、緊急の時に必要なキーが所在不明になっていたりすることがある。
【発明の開示】
【発明が解決しようとする課題】
【０００５】
以上のことから、本発明が解決しようとする問題点は、簡便性を損なうことなくキーを不要にして、ラッチ装置の施錠の信頼性を高めることにある。
【課題を解決するための手段】
【０００６】
そこで本発明は、上記の課題を解決するために、取付面に端面を臨出させて埋設されるホルダー内に、外端に摘みを突出さた筒形の作動操作軸を適宜の摺動と回転とを可能にして嵌装し、ホルダー内に、上記作動操作軸の内端部を連結穴に嵌合させて互いに一体回転する回転レバーと、上記ホルダーに設けた施錠孔に嵌合して、上記回転レバーの内端面に具えた作動ピンの回動に昇降を支配されるラッチレバーを備える。このラッチレバーを上記作動操作軸の摺動と回転と、回転レバーの回転と、該ラッチレバーに付設した施錠付勢ばねの付勢とにより先端部をホルダー外に突出させて、ラッチを施錠状態にする。一方、前記ホルダー内で、前記作動操作軸の軸部を軸受けする軸受部材の内周面に、円周方向と軸方向とに沿ってコ字形に連なるガイド溝を設け、このガイド溝に前記作動操作軸の外周に具えた突起を嵌合させて、作動操作軸の摺動と回転を支配させ、上記軸受部材の内端部と回転レバーとの間に作動操作軸の作動復帰ばねを介設して、前記施錠状態後の作動操作軸を自動的に復帰させる。また、作動復帰ばねを具えて軸受部材内を貫通する作動ロックピンにピンを突出させ、このピンを作動操作軸に設けたＬ字形のガイド溝に嵌合し、該作動ロックピンの外端に具えた開錠操作溝の押し込みと回転とにより，施錠状態のラッチを開錠できるように構成したことを特徴とするラッチ装置を提供するものである。
【発明の効果】
【０００７】
本発明に係るラッチ装置は、施錠状態にあるラッチの外観からは開錠操作が見出せないので、前記従来品に比べて施錠の信頼性が高い。また、施錠構造を熟知している使用者には比較的に簡単に開錠操作ができる。
【発明を実施するための最良の形態】
【０００８】
取付面に端面を臨出させて埋設されるホルダー内に、外端に摘みを突出さた筒形の作動操作軸を適宜の摺動と回転とを可能にして嵌装し、ホルダー内に、上記作動操作軸の内端部を連結穴に嵌合させて互いに一体回転する回転レバーと、上記ホルダーに設けた施錠孔に嵌合して、上記回転レバーの内端面に具えた作動ピンの回動に昇降を支配されるラッチレバーを備える。このラッチレバーを上記作動操作軸の摺動と回転と、回転レバーの回転と、該ラッチレバーに付設した施錠付勢ばねの付勢とにより先端部をホルダー外に突出させて、ラッチを施錠状態にする。一方、前記ホルダー内で、前記作動操作軸の軸部を軸受けする軸受部材の内周面に、円周方向と軸方向とに沿ってコ字形に連なるガイド溝を設け、このガイド溝に前記作動操作軸の外周に具えた突起を嵌合させて、作動操作軸の摺動と回転を支配させ、上記軸受部材の内端部と回転レバーとの間に作動操作軸の作動復帰ばねを介設して、前記施錠状態後の作動操作軸を自動的に復帰させる。また、作動復帰ばねを具えて軸受部材内を貫通する作動ロックピンにピンを突出させ、このピンを作動操作軸に設けたＬ字形のガイド溝に嵌合し、該作動ロックピンの外端に具えた開錠操作溝の押し込みと回転とにより，施錠状態のラッチを開錠できるように構成したことを特徴とするラッチ装置。
【実施例】
【０００９】
以下に、本発明の実施例を図面について説明する。  
図１は、実施例の要部の構造を説明する分解斜視図、
図２（ａ）は、組立て状態の正面図、（ｂ）は右側面図、（ｃ）は一部切欠平面図、
図３は施錠操作手順を説明するもので、（ａ）は開錠状態の正面図、（ｂ）は一部切欠右側面図、（ｃ）はＡ−Ａ断面図、
図４は実施例の開錠操作手順を説明するもので、（ａ）は正面図、（ｂ）は一部切欠縦断右側面図、（ｃ）は縦断面図、（ｄ）は施錠状態の一部切欠右側面図、
図５（ａ）は実施例の使用状態を説明する正面図、（ｂ）は一部切欠縦断右側面図、（ｃ）は平面図である。
【００１０】
図において、１は、取付面に端面部２を臨出させて図示省略のボックス内に埋設されるホルダー、３は、取付面に摘み部４を突出させ、内端に継手軸５を具えてホルダー１内に適宜の摺動と回転とを自在にして嵌装される筒形の作動操作軸、６は、外端面（図示左側面）に具えた継手穴７を継手軸５に嵌めて作動操作軸３と一体に回転する回転レバー、８は、ホルダー１内で作動操作軸３の軸部３’を軸受する軸受部材、９は、回転レバー６の内端面に具えた作動ピン、１０は、作動ピン９と係合して回転レバー６の回転に従動して昇降するラッチレバー、１１は、ラッチレバー１０を嵌合して、その昇降をガイドするようにホルダー１の上面に開口する施錠孔、１２は、ラッチレバー１０に付設されて、常時上昇方向に付勢する施錠付勢ばね、１３は、外端に開錠操作溝１４を具え、作動操作軸３を貫通する作動ロック軸である。
【００１１】
この実施例において、軸受部材８は、図１に示すように、接合面にピンａとピン穴を設けて上下で一体に結合する半割形に形成されており、内端面に回転レバー６を接合するとともに図３の（ｃ）に示すように回転レバー６の回転角度を制限する円弧溝８’を有する。また、軸受部材７の内周面の上下に、図１に示すようにコ字形に設けたガイド溝１５は、作動操作軸３の先端部上下に具えた突起１６を嵌合して、作動操作軸３の摺動と回転と、回転レバー６の回転を支配する。
【００１２】
また、ホルダー１は、図１に示すように背面部に縦に形成したヒンジ１７を介して左右から接合する半割形に成形され、接合面に設けたピンａとピン穴ｂとの嵌合により箱形に一体化する。なお、一方の割形の上下に突出する鈎付きの突起１８は、軸受部材７の上下面の嵌め込み溝１９を嵌合して所定位置に軸受部材７を保持する。
【００１３】
作動操作軸３は、外周面に円周方向と軸方向とにＬ字形に連続するガイド溝２０を開口し、このガイド溝２０に、同軸３を貫通する作動ロック軸１３の前部外周面に突出するピン２１を嵌合し、施錠操作時における作動操作軸３の前進と回転に作動ロック軸１３を従動させる。
なお図中、２２は作動操作軸３の作動復帰ばね、２３は作動ロック軸１３の作動復帰ばねである。
【００１４】
図３の（ｂ）に示す開錠状態から、図４の（ｂ）に図中矢印で示すように、作動操作軸３を押すと、先端部上下の突起１６が軸方向に前進して、軸受部材７の内周面のガイド溝１５の一端に形成したスットパー１５’の一方の側面（図１左側）から外れ、作動操作軸３の継手軸５と回転レバー６の継手穴７とが結合する。
次いで、作動操作軸３を図４の（ｃ）に示すように右回転すると、回転レバー６の作動ピン９がラッチレバー１０の片面の角形の凹部１０’内で回動し、ラッチレバー１０を施錠孔１１からホルダー１外に押し出し、ラッチは、同図（ｃ）に示すように施錠状態になる。
【００１５】
作動操作軸３の押圧を開放すると、作動操作軸３と作動ロックピン１３は右回転位置を保ったまま、復帰ばね２２、２３の復元力でそれぞれ後退し、作動操作軸３の突起１６は、コ字形のガイド溝１５内でスットパー１５’の他方の側面（図１右側）と当接する位置に後退して作動操作軸３の回転を阻止する〔図４（ｄ）参照〕。
一方、ラッチレバー１０は、施錠付勢ばね１２に付勢されて施錠位置にとどまり、施錠動作を完了する。
【００１６】
図４の（ｄ）に示す施錠状態から、例えば、ドライバー（図示省略）の先を作動ロック軸１３の開錠操作溝１４に差し込んで該軸１３を押し込み、左回転させた後、ドライバーの押圧を開放すると、ピン２１とガイド溝２０とによって連動する作動操作軸３は、突起１６をスットパー１５’からかわした後、施錠前の位置に復帰する。
また、回転レバー６は、作動ロック軸９の前進と左回転に追随して、再び継手軸５を継手穴７に結合させ、施錠付勢ばね１２に抗して作動ピン９を凹部１０’内で回動させ、ラッチレバー１０を施錠孔１１内に復帰させた後、押圧の開放とともに開錠位置に復帰する。
【００１７】
なお、図５の（ａ）（ｂ）に示すように、ラッチレバーが施錠状態にあるときは、作動ロック軸９の外端部に貫通させた封印孔２４と操作摘み４に具えた封印孔２５とが一致する位置に形成されており、針金２６を挿通して施錠状態を封印することにより、ラッチの不法な開錠の有無を検出できるようにしている。
さらに、ホルダー１の側面に２段に設けた段部２６は、図５の（ｄ）に示すように、厚さの異なる扉Ｔに本発明に係るラッチを取り付けられるようにしている。
【産業上の利用可能性】
【００１８】
本発明に係るラッチ装置は、実施例に説明するように、配電盤のボックス用に限らず、一般の扉のラッチ装置としても使用できる。また、各部の形態などは、本発明の目的に沿って、実施例の態様のみに限定されるものではない。
【図面の簡単な説明】
【００１９】
【図１】実施例の要部の構造を説明する分解斜視図である。
【図２】（ａ）は、組立て状態の正面図、（ｂ）は右側面図、（ｃ）は一部切欠平面図である。
【図３】施錠操作手順を説明するもので、（ａ）は開錠状態の正面図、（ｂ）は一部切欠右側面図、（ｃ）はＡ−Ａ断面図である。
【図４】実施例の開錠操作手順を説明するもので、（ａ）は正面図、（ｂ）は一部切欠縦断右側面図、（ｃ）は縦断面図、（ｄ）は施錠状態の一部切欠右側面図である。
【図５】（ａ）は実施例の使用状態を説明する正面図、（ｂ）は一部切欠縦断右側面図、（ｃ）は平面図である。
【符号の説明】
【００２０】
１  ホルダー
２  端面部
３  作動操作軸  （３’  軸部）  
４  摘み
５  回転レバー
６  継手軸
７  継手孔
８  軸受部材  （８’  円弧溝）
９  作動ロックピン
１０  ラッチレバー  （１０’  凹部）
１１  施錠孔
１２  施錠付勢ばね
１３  作動ロック軸
１４  開錠操作溝
１５  ガイド溝  （１５’  ストッパー）
１６  突起
１７  ヒンジ
１８  突起
１９  嵌め込み溝
２０  ガイド溝
２１  ピン
２２  作動復帰ばね
２３  作動復帰ばね
２４  封印孔
２５  封印孔
２６  針金
２７  段部
Ｔ  扉
【図１】
2005248440.tif 000003
【図２】
2005248440.tif 000004
【図３】
2005248440.tif 000005
【図４】
2005248440.tif 000006
【図５】
2005248440.tif 000007